(57)【要約】      （修正有）【課題】サイディングボードの施工を一人で行えるサイディングボード施工用補助具を提供する。【解決手段】補助具は、平板を折曲形成する本体１と本体１に装着するストッパ２とで構成する。本体１は、上端部に内方に向けて既設のサイディングボードの上端に掛止させるフック部３を形成し、フック部３の外方に次位のサイディングボードの支受部５を形成する。本体１の外側面６には、回動可能なストッパ２を配置し、上方に回動させることによって一部が上方に突出して支受部に載置させた、次位のサイディングボードが保持されるようにする。サイディングボードの一端が保持された状態で他端部を釘打ち固定し、ストッパを下方に回動させてサイディングボードを外方に撓ませることによって補助具を取り外し、サイディングボードの一端部を釘打ち固定する。【選択図】図１
0003196388.tif 000002
【実用新案登録請求の範囲】
【請求項１】
平板を折曲形成する本体と該本体に装着するストッパとで構成し、前記本体は上端部に内方に向けてサイディングボードの上端に掛止させるフック部を形成し、該フック部の外方はフック部よりも一段低い段部を形成して外方に向けてサイディングボードの支受部を形成し、該支受部の外方端から下方に折曲して外側面及び外側面から内方に折曲させてサイディングボードの外表面に当接する内側面を形成するとともに、
本体の外側面にストッパを回動可能に軸支し、上方に回動させることによってストッパの一部が支受部から上方に突出し、下方に回動させることによって前記突出部を下方に移動させることを特徴とするサイディングボード施工用補助具。
【請求項２】
ストッパは平板の上端を折り返して、その一部に係合突起を形成し、本体の支受部に前記係合突起が係合する係合孔を穿設するとともに、本体に対して長孔によって上下方向に遊動可能な状態に軸支したことを特徴とする請求項１に記載のサイディングボード施工用補助具。
【請求項３】
サイディングボードの外表面に当接する本体の内側面に、クッション材を付着させてなる請求項１又は２に記載のサイディングボード施工用補助具。
【請求項４】
本体の内側面に係合する係合本体と、該係合本体の外方の一方面に所定の第一厚肉部と、他方面に第一厚肉部と異なる厚みの第二厚肉部を設けたスペーサーを備えたことを特徴とする請求項１、２又は３に記載のサイディングボード施工用補助具。
【考案の詳細な説明】
【技術分野】
【０００１】
本考案は、建物の外壁板であるサイディングボードを施工する際に、サイディングボードを仮支持させることによって、一人の作業者によって長寸のサイディングボードを施工することができる補助具に関する考案である。
【背景技術】
【０００２】
建物の外壁であるサイディングボード、例えば窯業系のサイディングボードは、長寸法(定寸)であって比較的重いものである。したがって、通常は二人の作業者によって両端部を支えながら、下位置から順次係合させて上方に施工している。下から順次施工するサイディングボードは、既設のサイディングボードに両端もしくは一端を仮支持させることができれば、一人の作業者によっても作業を進めることが可能となる。
したがって、従来から既設のサイディングボードの上端に仮支持をさせる補助具が工夫されている。
【０００３】
例えば特許文献１には、主板部材の後側にサイディングボードの上端に掛止される掛止部材を備え、前側に上段のサイディングボードの下端を保持する受板部材を折り畳み自在に設けた補助金具の発明が開示されている。特許文献２には、支承板の後方に既設のサイディングボードの上縁部に被嵌する被嵌板を設け、支承板の前方部分に支承板から突出するストッパを設けた仮押さえ金具の思想が開示されている。特許文献３には、載置板の前端部に外装壁板上縁部に嵌合する嵌合板を設け、後端部に外装壁板を押えるストッパを設けた外装壁板用の仮押さえ金具の思想が開示されている。
【先行技術文献】
【特許文献】
【０００４】
【特許文献１】特開２００３−１２００１５号公報
【特許文献２】特開平１０−１５２９７９号公報
【特許文献３】実開昭６３−８３３８号公報
【考案の概要】
【考案が解決しようとする課題】
【０００５】
特許文献１に記載されたサイディングボード用補助金具では、サイディングボードの上端に掛止部材を掛止させ、受板部材に上段のサイディングボードの下端を支持させて上段のサイディングボードを釘打ちした後、取り外す場合に受板部材を折り畳むため、必ずしも操作が簡単でないとともに構造が複雑となる欠点がある。
【０００６】
特許文献２に記載された仮押さえ金具では、ストッパ及び被嵌板を操作杆によって出没させ、それぞれにバネを作用させているため、構造が複雑である。また、特許文献３に記載された仮押さえ金具では、嵌合板とストッパが固定状態であるため、施工後に取り外す場合に横方向に移動させて取り外すことになり、取り外しが困難となる場合がある。
【０００７】
上記従来技術の欠点に鑑み、構造が簡単であって安価に提供することができるとともに、操作性に優れたサイディングボード施工用補助具を提供することを目的とするものである。
【考案の開示】
【課題を解決するための手段】
【０００８】
上記目的を実現する請求項１に記載の考案は、平板を折曲形成する本体１と該本体に装着するストッパ２とで構成する。前記本体１は上端部に内方に向けて既設のサイディングボードＡの上端に掛止させるフック部３を形成し、該フック部３の外方はフック部３よりも一段低い段部４を形成して外方に向けて次位のサイディングボードＢの支受部５を形成する。該支受部５の外方端から下方に折曲して外側面６及び外側面６から内方に折曲させて既設のサイディングボードＡの外表面に当接する内側面７を形成する。
本体１の外側面６にストッパ２を回動可能に軸支し、上方に回動させることによってストッパ２の一部が支受部５から上方に突出し、下方に回動させることによって前記突出部を下方に移動させることを特徴とする。すなわち、支受部に載置した次位のサイディングボードＢは、支受部の外方に向けて移動可能となる。
【０００９】
請求項２記載の考案は、ストッパの構造に係る。ストッパ２は平板の上端を折り返し、該折り返し片の先端の一部に係合突起９を形成する。そして、本体１の支受部５に前記係合突起９が係合する係合孔10を穿設する。また、ストッパ２を本体１に対して、長孔11によって上下方向に遊動可能な状態に軸支したことである。
請求項３記載の考案は、既設のサイディングボードＡの外表面に当接する本体１の内側面７に、クッション材12を付着させることである。
【００１０】
請求項４記載の考案は、本体の内側面に係合する係合本体と、該係合本体の外方の一方面に所定の第一厚肉部と、他方面に第一厚肉部と異なる厚みの第二厚肉部を設けたスペーサーを備えたことである。
【考案の効果】
【００１１】
請求項１記載の考案によれば、ストッパ２を上方に回動させ、係合突起９を係合孔10に係合させた状態で、フック部３を既設のサイディングボードＡの一端側の上端に掛止させることによって、一人の作業者によって次位のサイディングボードＢの一端側を支受部５に支受させ、他端側を手で持って位置合わせの作業を行い、サイディングボードＢの他端側を支柱などに釘で固定する。この状態で、ストッパ２を持ち上げることによって係合突起９を係合孔10から抜き出し、回動させることによってストッパ機能を外す。
【００１２】
ストッパ機能が外された状態で、サイディングボードＢの一端側を少し外方に撓ませると、ストッパ２に邪魔されることなく、補助金具部分においてサイディングボードＢを外方に移動させることによって空間を形成し、既設のサイディングボードＡの上端に掛止しているフック部３を取り外すことができる。
本考案に係る、サイディングボード施工用補助具は、鋼板などの板材の折曲加工によって製造することができる本体１と、上端に折り返し片８を形成したストッパ２の組み合わせといった簡単な構造で実現することができ、補助具自体を安価に提供することができ効果がある。
【００１３】
請求項２記載の考案によれば、ストッパ２の係脱をストッパ２を持ち上げるだけの簡単な操作によって実施することができ、作業中は係合突起９が係合孔に嵌まり込んで、ストッパの自重によって係合状態が維持され、不用意に係合が外れることがない。
請求項３記載の考案によれば、本考案に係る補助具の本体１が当接する既設のサイディングボードＡの表面を傷つけることがなく、きれいに施工することができる。
【００１４】
請求項４記載の考案によれば、スペーサー17の係合本体18を本体１に係合する向きにより、サイディングボードＡの表面との間隔が、スペーサーを用いない場合と第一厚肉部19ａまたは第二厚肉部19ｂの厚みとによる三段階で調節をすることができ、厚さの異なるサイディングボードに対応することが可能になる。
【図面の簡単な説明】
【００１５】
【図１】図１は、本考案サイディングボード施工用補助具の実施形態を示す分解斜視図、
【図２】図２は、本考案サイディングボード施工用補助具の縦断面図、
【図３】図３は、ストッパを回動させた状態を示す、本考案サイディングボード施工用補助具の正面図、
【図４】図４は、本考案サイディングボード施工用補助具を使用した、施工手順を示す側面図である。
【図５】図５は、（ａ）がスペーサー全体を示す正面図及び側面図であり、（ｂ）が本体にスペーサーを取り付けた第二実施形態を示す斜視図である。
【考案を実施するための最良の形態】
【００１６】
以下、本考案に係るサイディングボード施工用補助具の実施形態を、添付の図面に基づいて説明する。
図１は、本考案サイディングボード施工用補助具の分解斜視図、図２は縦断面図である。
本考案サイディングボード施工用補助具は、一定幅の鋼板といった丈夫な金属材料を折曲加工することによって形成することができる本体１と、ストッパ２とで構成する。
【００１７】
図示実施形態の本体１は、略方形断面に折曲形成し、上端部に内方に向けてサイディングボードの上端に掛止させるための、一段高いフック部３を形成する。フック部３は少なくとも既設のサイディングボードＡの上端に掛止することができる幅で、下向きに開放された略コ字状とし、フック部３の外方はフック部３の上面よりも一段低い段部４を形成して外方に向けて、平坦面である次位のサイディングボードの支受部５を形成する。すなわち、支受部５は方形断面の本体の上面に相当する。
【００１８】
支受部５の外方端から下方に折曲して外側面６を形成する。外側面６の略中心位置にボルト13が貫通するボルト孔14を穿設している。
外側面６の外側面には、摺動状態にストッパ２を配置する。ストッパ２は、本体１の外側面に沿って上方に延長される大きさの平板であって、その上部をコ字状に折り返し、折り返し片８の中央部に、下方に向けて係合突起９を突出形成している。一方、本体１の支受部５には、係合突起９が係合する係合孔10を穿設している。
【００１９】
本体１の外側面６に当接するストッパ２には、長孔11を穿設し、この長孔11を通過させたボルト13を本体１の外側面６に穿設したボルト孔14に貫通させ、ナット15によって先端を固定する。このボルト13とナット15は、ストッパ２を締付けるものではなく、ストッパ２が遊動可能な状態とする。
上記構成とすることによって、図３に実線で示すストッパ２が横方向に傾いた状態で、ストッパを持ち上げて二点鎖線で示す上向きに回動させ、持ち上げ状態を解除すると、点線で示す下位置に移動する。すなわち、係合突起９が係合孔10に係合し、図２に示す位置で安定する。ストッパ２を解除する場合は、図３において、点線位置(図２の位置)にあるストッパ２を二点鎖線の位置まで持ち上げることによって左右いずれの方向にも回動させることができ、図３の実線位置よりもさらに下方に回動させることができる。
【００２０】
方形に折曲した本体１の内側面には、合成ゴムなどのクッション材12を貼設してある。すなわち、フック部３を既設のサイディングボードＡの上端に掛合させた場合、本体１の内側面がサイディングボードＡの外表面に当接することになる。この場合、金属材である本体１がサイディングボードＡの外表面を傷つける可能性がある。このため、本体１の内側面７にクッション材を貼着しておくことによって、サイディングボードＡの外表面に傷を付けるのを防止することができる。
【００２１】
本考案に係る、サイディングボード施工用補助具を使用した施工手順を図４に基づいて説明する。本考案に係るサイディングボード施工用補助具は、二段目以降のサイディングボードの施工に使用する。
図４(ａ)に示すように、既設のサイディングボードＡの上端であって長手方向の端部に、本考案に係るサイディングボード施工用補助具の本体１のフック部３を引っ掛けて掛止めさせる。このとき、本体１の外側面６に装着しているストッパ２は、上方に引き上げられて、ストッパ２の係合突起９は、本体上面の支受部５に穿設した係合孔に係合させている。
【００２２】
図４(ａ)に示す状態で、次位のサイディングボードＢを準備し、図４(ｂ)に示すように次位のサイディングボードＢの下端を支受部５に支受させる。一端が支受されたサイディングボードの長手方向の他端部をサイディングボードの固定部材、例えば支柱16に釘打ちによって固定する。
【００２３】
長手方向の他端部が釘打ちによって固定された状態において、図４(ｃ)に示すようにストッパ２を下方に回動させる。他端部が固定されたサイディングボードは、それ自体の弾性によって多少外方に撓ませることができる。
すなわち、ストッパが下方に回動された状態では、サイディングボード施工用補助具の外側にサイディングボードＢを撓ませることによって、サイディングボード施工用の補助具を取り外すことができる。
【００２４】
サイディングボード施工用補助具を取り外した、次位のサイディングボードＢは、図４(ｄ)に示すように既設のサイディングボードＡと位置合わせを行いながら支柱16に対して、釘打ちによって固定する。このとき、取り外したサイディングボード施工用補助具は、サイディングボードＢの上端に掛止しておくことによって作業を円滑に進めることができる。
以上述べたように、本考案サイディングボード施工用補助具を使用することによって、長尺で、ある程度重量のあるサイディングボード施工を、一人の作業者によって能率的に行うことができる。
【００２５】
図５に示すように、本考案の第二実施形態は、本体１の内側面７にスペーサー17を係合させることで、厚みの異なるサイディングボードＡに対応することができる。図５（ａ）に示すように、スペーサー17は、Ｕ字状の係合本体18の外方の両面に第一厚肉部19ａ、第二厚肉部19ｂを取り付けたものである。第二厚肉部19ｂは、第一厚肉部19ａよりも２倍の厚みを有するものであり、具体的には第一厚肉部は２ｍｍの厚みであり、第二厚肉部は４ｍｍの厚みを有する。この厚肉部の厚みは適宜、必要な厚みを選択すれば良い。
【００２６】
図５（ｂ）に示すように、第二実施形態に係る本体１は、第一実施形態と比べてクッション材12の下方が、スペーサー17を係合する部分を確保するために、切除されている。  しかし、クッション材12の残り部分があるため、第二実施形態であっても、スペーサー17を用いない場合には、第一の実施形態と同様の使用が可能になる。
【００２７】
図５（ｂ）に示すように、スペーサー17は、本体１の内側面７であってクッション材12を切除した部分に、係合本体18のＵ字状の開放部分から挿入し、その内部に内側面７が位置するように係合する。係合本体18の内側には突起20が形成され、この係合状態を保持することができる。この係合は、スペーサー17の向きにより内側面７の外方に第一厚肉部19ａ若しくは第二厚肉部19ｂが位置する（図面では第二厚肉部19ｂ）。これにより、スペーサー17を用いない場合に比べて、サイディングボードＡを取り付ける幅が狭くなり、幅が異なるサイディングボードＡに対応することができる。また、第一厚肉部19ａと第二厚肉部19ｂの厚みが異なるため、図５（ｂ）に示す状態からスペーサー17の向きを変えて係合することにより、更に異なる厚みのサイディングボードＡに対応することが可能になる。
【符号の説明】
【００２８】
１…本体、  ２…ストッパ、  ３…フック部、  ４…段部、  ５…支受部、  ６…外側面、  ７…内側面、  ８…折り返し片、  ９…係合突起、  10…係合孔、  11…長孔、  12…クッション材、  13…ボルト、  14…ボルト孔、  15…ナット、  16…支柱、  17…スペーサー、18…係合本体、19ａ…第一厚肉部、19ｂ…第二厚肉部、Ａ、Ｂ…サイディングボード。
【図１】
0003196388.tif 000003
【図２】
0003196388.tif 000004
【図３】
0003196388.tif 000005
【図４】
0003196388.tif 000006
【図５】
0003196388.tif 000007